(57)【要約】【課題】情報配信のための設定作業を容易にした管理サーバ及び情報配信システムを提供する。【解決手段】管理サーバ１は、ＩＣタグ９に記憶されたタグＩＤと情報配信サーバ３のＵＲＩに連結するパラメータに設定する設置コードを対応付けて記憶するパラメータ設定テーブル２１と、タグＩＤに関連付けがされた態様で情報配信サーバ３のＵＲＩとパラメータとで構成する広告ＵＲＩを記憶する配信情報テーブル２２と、利用者端末５が読み取ったタグＩＤ９ａを受信する受信部１１と、タグＩＤ９ａに対応する設置コードをパラメータ設定テーブル２１から取得するパラメータ取得部１２と、パラメータ設定テーブル２１及び配信情報テーブル２２を参照してタグＩＤ９ａに対応する広告ＵＲＩを配信情報テーブル２２から選択する接続情報選択部１３と、取得した設置コードをパラメータに設定した広告ＵＲＩを利用者端末５に送信する接続先情報送信部１４とを備える。【選択図】図１
2014164493.tif 000002
【特許請求の範囲】
【請求項１】
情報配信サーバに格納された配信情報に接続するための接続先情報を利用者端末に送信する管理サーバであって、
前記接続先情報は、前記情報配信サーバに接続するための情報配信サーバ接続情報と、パラメータ情報とで構成され、
記憶媒体を識別する識別情報と、前記パラメータ情報に設定される設定情報とを対応付けて記憶するパラメータ設定テーブルと、
前記識別情報に関連付けられた前記接続先情報を記憶する配信情報テーブルと、
前記利用者端末が前記記憶媒体を読み取ることで、前記利用者端末から前記識別情報を受信する受信部と、
前記受信部により受信した前記識別情報に対応する前記設定情報を、前記パラメータ設定テーブルから取得するパラメータ取得部と、
前記パラメータ設定テーブル及び前記配信情報テーブルを参照して、前記受信部により受信した前記識別情報に対応する前記接続先情報を、前記配信情報テーブルから選択する接続情報選択部と、
取得した前記設定情報を選択した前記接続先情報の前記パラメータ情報に設定した前記接続先情報を、前記利用者端末に送信する接続先情報送信部と、
を備えること、
を特徴とする管理サーバ。
【請求項２】
請求項１に記載の管理サーバにおいて、
前記記憶媒体はＩＣタグであり、
前記受信部は、前記利用者端末が近距離通信により、前記記憶媒体から前記識別情報を含み、この管理サーバに接続するための管理サーバ接続情報を読み取ることで、前記利用者端末から前記識別情報を受信すること、
を特徴とする管理サーバ。
【請求項３】
請求項１又は請求項２に記載の管理サーバにおいて、
前記パラメータ設定テーブルに記憶されている前記設定情報は、前記記憶媒体が配置された位置に関する位置情報を含み、
前記配信情報は、前記位置情報に基づいた、前記記憶媒体の配置位置に関連する情報であること、
を特徴とする管理サーバ。
【請求項４】
請求項１から請求項３までのいずれかに記載の管理サーバにおいて、
前記配信情報テーブルは、前記接続先情報に含まれる前記パラメータ情報が前記利用者端末から参照可能であるか否かの設定をする参照可否設定情報を、前記情報配信サーバ接続情報に対応付けて記憶すること、
を特徴とする管理サーバ。
【請求項５】
請求項１から請求項４までのいずれかに記載の管理サーバにおいて、
前記配信情報テーブルは、一つの前記識別情報に対して所定の条件ごとに複数の異なる前記情報配信サーバ接続情報を関連付けて記憶すること、
を特徴とする管理サーバ。
【請求項６】
請求項５に記載の管理サーバにおいて、
前記所定の条件は、日時ごと及び曜日ごとの少なくともいずれかに対応するものであること、
を特徴とする管理サーバ。
【請求項７】
請求項１から請求項６までのいずれかに記載の管理サーバにおいて、
前記配信情報テーブルは、店舗ごとに設けられた店舗情報に関する前記情報配信サーバ接続情報を記憶し、
前記配信情報は、前記記憶媒体の前記店舗での設置位置に対応した情報であること、
を特徴とする管理サーバ。
【請求項８】
請求項１から請求項７までのいずれかに記載の管理サーバにおいて、
前記パラメータ設定テーブルを変更する変更データを、ＣＳＶ形式又はテキスト形式で受け付ける変更受付部と、
前記変更受付部により受け付けた前記変更データを、前記パラメータ設定テーブルに反映させる反映処理部と、
を備えること、
を特徴とする管理サーバ。
【請求項９】
請求項１から請求項７までのいずれかに記載の管理サーバにおいて、
登録用端末において、前記識別情報を含み、この管理サーバに接続するための管理サーバ接続情報を前記記憶媒体から読み取ることで、前記識別情報と、前記登録用端末で入力された前記記憶媒体の設置位置に関する指定情報と、前記記憶媒体を読み取った際の前記登録用端末の位置情報とを前記登録用端末から受信する登録受信部と、
前記パラメータ設定テーブルの前記識別情報に対応する前記記憶媒体の位置に関する情報を、受信した前記指定情報及び前記位置情報に基づいて更新する位置情報更新部と、
を備えること、
を特徴とする管理サーバ。
【請求項１０】
複数の記憶媒体と、利用者が携行する利用者端末と、管理サーバと、前記利用者端末に配信する配信情報を記憶した情報配信サーバとを備える情報配信システムであって、
前記管理サーバは、前記情報配信サーバに格納された前記配信情報に接続するための接続先情報を前記利用者端末に送信するものであり、
前記接続先情報は、前記情報配信サーバに接続するための情報配信サーバ接続情報と、パラメータ情報とで構成され、
前記複数の記憶媒体の各々は、前記複数の記憶媒体の各々を識別する識別情報を含み、前記管理サーバに接続するための管理サーバ接続情報を記憶し、
前記管理サーバは、
前記識別情報と、前記パラメータ情報に設定される設定情報とを対応付けて記憶するパラメータ設定テーブルと、
前記識別情報に関連付けられた前記接続先情報を記憶する配信情報テーブルと、
を有し、
前記利用者端末は、
前記記憶媒体の前記管理サーバ接続情報を読み取るリーダを有し、
前記リーダにより読み取った前記管理サーバ接続情報に基づいて前記管理サーバに接続し、
前記管理サーバは、
前記利用者端末から受信した前記管理サーバ接続情報の前記識別情報に対応する前記設定情報を、前記パラメータ設定テーブルから取得し、
前記パラメータ設定テーブル及び前記配信情報テーブルを参照して、前記利用者端末から受信した前記管理サーバ接続情報の前記識別情報に対応する前記接続先情報を、前記配信情報テーブルから選択し、
取得した前記設定情報を選択した前記接続先情報の前記パラメータ情報に設定した前記接続先情報を、前記利用者端末に送信し、
前記利用者端末は、前記管理サーバから受信した前記接続先情報に基づいて前記情報配信サーバに接続し、前記情報配信サーバから前記配信情報を受信して出力すること、
を特徴とする情報配信システム。
【発明の詳細な説明】
【技術分野】
【０００１】
本発明は、管理サーバ及び情報配信システムに関する。
【背景技術】
【０００２】
従来、広告媒体上のＱＲコード（登録商標）等のコード情報をＷｅｂ端末が読み取って、接続したゲートウェイサーバから時限等により複数のコンテンツサイトへアクセスするリダイレクト制御システムが開示されている（例えば、特許文献１）。
【先行技術文献】
【特許文献】
【０００３】
【特許文献１】特開２００６−１５５５３４号公報
【発明の概要】
【発明が解決しようとする課題】
【０００４】
特許文献１に記載のリダイレクト制御システムは、コード情報を読み取ってゲートウェイサーバにアクセスした日時に応じて、異なるコンテンツサイトに遷移させるものであった。よって、コード情報ごとに日時に対応したアクセス先であるコンテンツサイトのＵＲＩを登録しておく必要があり、コード情報が多くなるほど、予め行う情報配信のための設定作業が煩雑であった。
【０００５】
そこで、本発明は、情報配信のための設定作業を容易にした管理サーバ及び情報配信システムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、情報配信サーバ（３）に格納された配信情報に接続するための接続先情報を利用者端末（５）に送信する管理サーバ（１，２０１）であって、前記接続先情報は、前記情報配信サーバに接続するための情報配信サーバ接続情報と、パラメータ情報とで構成され、記憶媒体（９）を識別する識別情報と、前記パラメータ情報に設定される設定情報とを対応付けて記憶するパラメータ設定テーブル（２１）と、前記識別情報に関連付けられた前記接続先情報を記憶する配信情報テーブル（２２）と、前記利用者端末が前記記憶媒体を読み取ることで、前記利用者端末から前記識別情報を受信する受信部（１１）と、前記受信部により受信した前記識別情報に対応する前記設定情報を、前記パラメータ設定テーブルから取得するパラメータ取得部（１２）と、前記パラメータ設定テーブル及び前記配信情報テーブルを参照して、前記受信部により受信した前記識別情報に対応する前記接続先情報を、前記配信情報テーブルから選択する接続情報選択部（１３）と、取得した前記設定情報を選択した前記接続先情報の前記パラメータ情報に設定した前記接続先情報を、前記利用者端末に送信する接続先情報送信部（１４）と、を備えること、を特徴とする管理サーバである。
第２の発明は、第１の発明の管理サーバ（１，２０１）において、前記記憶媒体はＩＣタグ（９）であり、前記受信部（１１）は、前記利用者端末（５）が近距離通信により、前記記憶媒体から前記識別情報を含み、この管理サーバに接続するための管理サーバ接続情報を読み取ることで、前記利用者端末から前記識別情報を受信すること、を特徴とする管理サーバである。
第３の発明は、第１の発明又は第２の発明の管理サーバ（１，２０１）において、前記パラメータ設定テーブル（２１）に記憶されている前記設定情報は、前記記憶媒体（９）が配置された位置に関する位置情報を含み、前記配信情報は、前記位置情報に基づいた、前記記憶媒体の配置位置に関連する情報であること、を特徴とする管理サーバである。
第４の発明は、第１の発明から第３の発明までのいずれかの管理サーバ（１，２０１）において、前記配信情報テーブル（２２）は、前記接続先情報に含まれる前記パラメータ情報が前記利用者端末（５）から参照可能であるか否かの設定をする参照可否設定情報を、前記情報配信サーバ接続情報に対応付けて記憶すること、を特徴とする管理サーバである。
第５の発明は、第１の発明から第４の発明までのいずれかの管理サーバ（１，２０１）において、前記配信情報テーブル（２２）は、一つの前記識別情報に対して所定の条件ごとに複数の異なる前記情報配信サーバ接続情報を関連付けて記憶すること、を特徴とする管理サーバである。
第６の発明は、第５の発明の管理サーバ（１，２０１）において、前記所定の条件は、日時ごと及び曜日ごとの少なくともいずれかに対応するものであること、を特徴とする管理サーバである。
第７の発明は、第１の発明から第６の発明までのいずれかの管理サーバ（１，２０１）において、前記配信情報テーブル（２２）は、店舗ごとに設けられた店舗情報に関する前記情報配信サーバ接続情報を記憶し、前記配信情報は、前記記憶媒体（９）の前記店舗での設置位置に対応した情報であること、を特徴とする管理サーバである。
第８の発明は、第１の発明から第７の発明までのいずれかの管理サーバ（１，２０１）において、前記パラメータ設定テーブル（２１）を変更する変更データを、ＣＳＶ形式又はテキスト形式で受け付ける変更受付部（１５ａ）と、前記変更受付部により受け付けた前記変更データを、前記パラメータ設定テーブルに反映させる反映処理部（１５ｂ）と、を備えること、を特徴とする管理サーバである。
第９の発明は、第１の発明から第８の発明までのいずれかの管理サーバ（１，２０１）において、登録用端末（６，２０６）において、前記識別情報を含み、この管理サーバに接続するための管理サーバ接続情報を前記記憶媒体（９）から読み取ることで、前記識別情報と、前記登録用端末で入力された前記記憶媒体の設置位置に関する指定情報と、前記記憶媒体を読み取った際の前記登録用端末の位置情報とを前記登録用端末から受信する登録受信部（１６，２１６）と、前記パラメータ設定テーブル（２１）の前記識別情報に対応する前記記憶媒体の位置に関する情報を、受信した前記指定情報及び前記位置情報に基づいて更新する位置情報更新部（１７，２１７）と、を備えること、を特徴とする管理サーバである。
【０００８】
第１０の発明は、複数の記憶媒体（９）と、利用者が携行する利用者端末（５）と、管理サーバ（１，２０１）と、前記利用者端末に配信する配信情報を記憶した情報配信サーバ（３）とを備える情報配信システム（１００，２００）であって、前記管理サーバは、前記情報配信サーバに格納された前記配信情報に接続するための接続先情報を前記利用者端末に送信するものであり、前記接続先情報は、前記情報配信サーバに接続するための情報配信サーバ接続情報と、パラメータ情報とで構成され、前記複数の記憶媒体の各々は、前記複数の記憶媒体の各々を識別する識別情報を含み、前記管理サーバに接続するための管理サーバ接続情報を記憶し、前記管理サーバは、前記識別情報と、前記パラメータ情報に設定される設定情報とを対応付けて記憶するパラメータ設定テーブル（２１）と、前記識別情報に関連付けられた前記接続先情報を記憶する配信情報テーブル（２２）と、を有し、前記利用者端末は、前記記憶媒体の前記管理サーバ接続情報を読み取るリーダ（５８）を有し、前記リーダにより読み取った前記管理サーバ接続情報に基づいて前記管理サーバに接続し、前記管理サーバは、前記利用者端末から受信した前記管理サーバ接続情報の前記識別情報に対応する前記設定情報を、前記パラメータ設定テーブルから取得し、前記パラメータ設定テーブル及び前記配信情報テーブルを参照して、前記利用者端末から受信した前記管理サーバ接続情報の前記識別情報に対応する前記接続先情報を、前記配信情報テーブルから選択し、取得した前記設定情報を選択した前記接続先情報の前記パラメータ情報に設定した前記接続先情報を、前記利用者端末に送信し、前記利用者端末は、前記管理サーバから受信した前記接続先情報に基づいて前記情報配信サーバに接続し、前記情報配信サーバから前記配信情報を受信して出力すること、を特徴とする情報配信システムである。
【発明の効果】
【０００９】
本発明によれば、情報配信のための設定作業を容易にした管理サーバ及び情報配信システムを提供することができる。
【図面の簡単な説明】
【００１０】
【図１】第１実施形態に係る情報配信システムの全体構成及び機能構成を示す図である。
【図２】第１実施形態に係る管理サーバに記憶される各種のテーブルの例を示す図である。
【図３】第１実施形態に係るポスター及び登録用端末の例を示す図である。
【図４】第１実施形態に係るＰＣで行う設定作業での画面例を示す図である。
【図５】第１実施形態に係るＰＣで行う設定作業での画面例を示す図である。
【図６】第１実施形態に係る登録用端末を使用した事前処理のフローチャートである。
【図７】第１実施形態に係る情報配信システムでの利用者端末による利用に関する処理のフローチャートである。
【図８】第１実施形態に係るＵＲＩ生成処理のフローチャートである。
【図９】第１実施形態に係る利用者端末のタッチパネルに表示される画面例を示す図である。
【図１０】第１実施形態に係る情報配信システムでの利用者端末を用いたＵＲＩの決定までの処理の流れを示す図である。
【図１１】第２実施形態に係る情報配信システムの全体構成及び機能構成を示す図である。
【図１２】第２実施形態に係る位置情報テーブル及び登録用端末の例を示す図である。
【図１３】第２実施形態に係る登録用端末を使用した事前処理のフローチャートである。
【発明を実施するための形態】
【００１１】
以下、本発明を実施するための形態について、図を参照しながら説明する。なお、これは、あくまでも一例であって、本発明の技術的範囲はこれに限られるものではない。
（第１実施形態）
図１は、第１実施形態に係る情報配信システム１００の全体構成及び機能構成を示す図である。
図２は、第１実施形態に係る管理サーバ１に記憶される各種のテーブルの例を示す図である。
図１に示すように、情報配信システム１００は、管理サーバ１と、情報配信サーバ３と、ＰＣ（パーソナルコンピュータ）４と、利用者端末５と、登録用端末６と、ＩＣ（Ｉｎｔｅｇｒａｔｅｄ  Ｃｉｒｃｕｉｔ）タグ９とを備えている。管理サーバ１は、情報配信サーバ３と、ＰＣ４と、利用者端末５と、登録用端末６とに対して通信ネットワークＮを介して通信可能に接続されている。
【００１２】
情報配信システム１００は、ポスター８に貼付されたＩＣタグ９に利用者端末５をかざすことで、利用者端末５が読み取ったＩＣタグ９の情報により管理サーバ１に接続した上で、そのＩＣタグ９に対して関連付けがされた情報配信サーバ３にアクセスする。そして、情報配信システム１００は、情報配信サーバ３に記憶されたポスター８に関連する所定のＷｅｂページ（配信情報）を、利用者端末５に表示するものである。また、情報配信システム１００は、ＰＣ４及び登録用端末６を用いて、上述の処理を実現するための設定作業及びメンテナンス作業を行う。
管理サーバ１は、運営事業者が所有し、上述の運用を行うためのサーバである。情報配信システム１００による仕組みを利用したい店舗事業者は、運営事業者に対して利用申込みをすることで、ＩＣタグ９を運営事業者から受領して、後述する設定作業を行う。ＩＣタグ９は、運営事業者が所定のＩＣタグ９を発行するタグ発行事業者に対してＩＣタグ９の発行を依頼して、納品されたものである。
【００１３】
管理サーバ１は、情報の配信先である情報配信サーバ３のＵＲＩ（Ｕｎｉｆｏｒｍ  Ｒｅｓｏｕｒｃｅ  Ｉｄｅｎｔｉｆｉｅｒ）と、ＩＣタグ９との関連付けを記憶する。そして、利用者端末５がＩＣタグ９を読み取ることで、ＩＣタグ９に記憶された管理サーバ１を指定したＵＲＩであるタグＵＲＩ９ｂ（後述する）により、管理サーバ１と利用者端末５とは、接続する。また、管理サーバ１は、ＩＣタグ９に記憶されたタグＩＤ９ａ（後述する）を受信することで、タグＩＤ９ａに関連付けがされた情報配信サーバ３のＵＲＩを返信する。
管理サーバ１は、制御部１０と、記憶部２０とを備える。
制御部１０は、管理サーバ１の全体を制御するＣＰＵ（中央処理装置）である。制御部１０は、記憶部２０に記憶されているオペレーティングシステム（ＯＳ）やアプリケーションプログラムを適宜読み出して実行することにより、上述したハードウェアと協働し、本発明に係る各種機能を実現している。
【００１４】
制御部１０は、受信部１１と、パラメータ取得部１２と、接続情報選択部１３と、接続先情報送信部１４と、テーブルメンテナンス部１５と、登録受信部１６と、位置情報更新部１７とを備える。
受信部１１は、利用者端末５からタグＩＤ９ａを受信する。
パラメータ取得部１２は、受信部１１が受信したタグＩＤ９ａに対応する設置コード（設定情報）を、パラメータ設定テーブル２１（後述する）から取得する。
接続情報選択部１３は、受信部１１が受信したタグＩＤ９ａに対応する情報配信サーバ３のＵＲＩを、配信情報テーブル２２（後述する）から選択する。
接続先情報送信部１４は、所定のＷｅｂページを利用者端末５に出力させるための広告ＵＲＩ（接続先情報）を、利用者端末５に送信する。所定のＷｅｂページの格納先である広告ＵＲＩは、接続情報選択部１３により選択された情報配信サーバ３のＵＲＩと、パラメータ取得部１２により取得した設置コードをパラメータに設定したものとで構成される。具体的には、広告ＵＲＩは、情報配信サーバ３のＵＲＩと、設置コードをパラメータに設定したものとを連結したものである。
【００１５】
テーブルメンテナンス部１５は、記憶部２０に記憶された各種のテーブルのメンテナンスを行うための制御部である。テーブルメンテナンス部１５は、変更受付部１５ａと、反映処理部１５ｂとを備える。
変更受付部１５ａは、各種のテーブルを変更するための変更データを、ＣＳＶ（Ｃｏｍｍａ  Ｓｅｐａｒａｔｅｄ  Ｖａｌｕｅｓ）形式又はテキスト形式で受け付ける。
反映処理部１５ｂは、変更データを対応するテーブルにインポートして、更新データを反映させる。
登録受信部１６は、パラメータ設定テーブル２１を更新するための情報を、登録用端末６から受信する。
位置情報更新部１７は、登録受信部１６が受信した情報をパラメータ設定テーブル２１に反映させて、それらのテーブルを更新する。
【００１６】
記憶部２０は、制御部１０を実行するために必要なプログラム、データ等を記憶するためのハードディスク、半導体メモリ素子等の記憶領域である。
記憶部２０は、パラメータ設定テーブル２１と、配信情報テーブル２２と、タグＩＤテーブル２４と、位置情報テーブル２５とを記憶している。
図２（Ａ）に示すように、パラメータ設定テーブル２１は、ＩＣタグ９に付与されたＩＣタグ９の識別情報であるタグＩＤ９ａ（ＩＤｅｎｔｉｆｉｅｒ）（識別情報）と、配信情報テーブル２２を関連付けるための関連付けＩＤと、そのＩＣタグ９が設置された位置に関する設置コードとを記憶したテーブルである。パラメータ設定テーブル２１は、タグＩＤ９ａごとに関連付けＩＤと、設置コードとの各項目を有する。ＩＣタグ９が未設定の場合、例えば、後述するタグ製造工場にてＩＣタグ９は製造済であるが、まだ、ポスター８に貼り付けられていない場合には、関連付けＩＤ及び配置コードの項目は、ブランクである。
【００１７】
図２（Ｂ）に示すように、配信情報テーブル２２は、配信情報として、情報配信サーバ３のＵＲＩを記憶したテーブルである。配信情報テーブル２２は、利用者端末５からアクセスされる日時や曜日等の指定がない場合のデフォルトのＵＲＩを有している。配信情報テーブル２２は、その他、例えば、日時や曜日による指定に対応したＵＲＩを複数有していてもよい。
また、配信情報テーブル２２は、情報配信サーバ３のＵＲＩに結合（連結）するパラメータを記憶する。パラメータとは、情報配信サーバ３に記憶された情報であるＷｅｂページのうち、階層が下のＷｅｂページを指定するためのデータをいい、設置コードを設定するための変数を用いて表すことができる。
さらに、配信情報テーブル２２は、情報配信サーバ３のＵＲＩに結合するパラメータを利用者端末５側に保存可能にするか否かを指定するためのＰＯＳＴ／ＧＥＴに関するデータを記憶する。ＰＯＳＴ／ＧＥＴは、利用者端末５のＷｅｂブラウザからＨＴＴＰ通信で情報配信サーバ３へ送るリクエストの種類の一つで、情報配信サーバ３のＵＲＩに結合したパラメータを送信するための方法を指定するもの（命令）である。ＧＥＴは、ヘッダ部にリクエストとしてパラメータまでを含んで記述するため、利用者端末５で広告ＵＲＩを保存した場合に、パラメータを含んで記憶される。他方、ＰＯＳＴは、ボディ部にパラメータを記述するため、利用者端末５で広告ＵＲＩを保存した場合には、パラメータを含まない情報配信サーバ３のＵＲＩが記憶される。
【００１８】
図２（Ｃ）に示すように、タグＩＤテーブル２４は、タグＩＤ９ａと、管理サーバ１を指定するＵＲＩとを対応付けて記憶したテーブルである。タグＩＤテーブル２４には、運営事業者がＩＣタグ９を配布した店舗事業者名を記憶してもよい。
図２（Ｄ）に示すように、位置情報テーブル２５は、ＩＣタグ９の設置候補先である位置情報に関するデータを記憶したテーブルである。位置情報テーブル２５は、設置コードごとに、設置店、設置位置、店舗事業者名を記憶している。
【００１９】
図１に戻り、情報配信サーバ３は、管理サーバ１に対して通信ネットワークＮを介して接続され、ＩＣタグ９を介して利用者端末５に情報を配信するサーバである。情報配信サーバ３は、例えば、複数の店舗事業者がそれぞれ有するサーバである。この情報配信サーバ３の管理は、各店舗事業者が担う。また、情報配信サーバ３から配信されるＷｅｂページ等の情報は、情報配信サーバ３の各店舗事業者の管理者がメンテナンス等を行う。なお、情報配信サーバ３は、通信ネットワークＮにより接続された複数のサーバが該当する。
【００２０】
ＰＣ４は、運営事業者及び各店舗事業者の管理者等が、管理サーバ１の各種のテーブルのメンテナンスを行うのに用いる。ＰＣ４は、運営事業者が管理サーバ１に対してログインすることで、全てのテーブルのレコードに対してアクセスを許容する。また、ＰＣ４は、店舗事業者が管理サーバ１に対してログインすることで、各種のテーブルのうち、該当する店舗事業者のレコードに対してのみアクセスを許容する。各店舗事業者は、アクセスを許容するレコードをメンテナンスする。例えば、条件を指定してキャンペーンに関するＵＲＩを登録することで、キャンペーン期間には、キャンペーンに関する情報を出力する等、提供する情報を条件に応じて変更できる。そのようにすることで、利用者端末５は、アクセスした時期に応じた適切なＷｅｂページに遷移できる。なお、メンテナンスの詳細については、後述する。
【００２１】
利用者端末５は、例えば、スマートフォン等に代表される携帯通信端末である。利用者端末５は、制御部５０と、タッチパネル５４と、記憶部５５と、ＩＣチップ５８と、通信Ｉ／Ｆ（インタフェース）部５９とを備える。
制御部５０は、利用者端末５の全体を制御するＣＰＵである。制御部５０は、記憶部５５に記憶されているＯＳやアプリケーションプログラムを適宜読み出して実行することにより、上述したハードウェアと協働し、本発明に係る各種機能を実現している。
タッチパネル５４は、液晶パネル等で構成される表示部としての機能と、各種操作入力を行う入力部としての機能とを有する。
記憶部５５は、制御部５０を実行するために必要なプログラム、データ等を記憶するための半導体メモリ素子等の記憶領域である。
ＩＣチップ５８は、ＮＦＣ（Ｎｅａｒ  Ｆｉｅｌｄ  Ｃｏｍｍｕｎｉｃａｔｉｏｎ）の仕様により作成された集積回路（図示せず）を備える。ＮＦＣ規格（ＩＳＯ／ＩＥＣ１８０９２（ＮＦＣ  ＩＰ−１）、ＩＳＯ／ＩＥＣ２１４８１（ＮＦＣ  ＩＰ−２））では、１３．５６ＭＨｚの電波を使い、１００ｍｍ程度の至近距離でデータ通信を行う近距離無線通信が可能である。ＩＣチップ５８は、ＮＦＣ規格に基づく通信を利用して、ＩＣタグ９と通信をしてＩＣタグ９に記憶されたタグＩＤ９ａ及びタグＵＲＩ９ｂ（管理サーバ接続情報）を読み取る。
通信Ｉ／Ｆ部６９は、通信ネットワークＮを介して管理サーバ１や、情報配信サーバ３等との間で通信を行うための通信インタフェースである。
【００２２】
利用者端末５は、ＩＣチップ５８を介してＩＣタグ９の情報を読み取ることで、タグＵＲＩ９ｂにより管理サーバ１に対して通信を行う。そして、管理サーバ１がＩＣタグ９のタグＩＤ９ａに関連付けられた情報配信サーバ３のＵＲＩに、設置コードを設定したパラメータを結合した、広告ＵＲＩを利用者端末５に返信する。そうすることで、利用者端末５においてリダイレクトされ、利用者端末５は、情報配信サーバ３に対して通信を行い、情報配信サーバ３から配信された所望のＷｅｂページ（情報）を受信して表示する。
【００２３】
登録用端末６は、管理サーバ１に対して、読み取ったＩＣタグ９のタグＩＤ９ａに関連したパラメータ設定テーブル２１及び位置情報テーブル２５を更新するための端末である。登録用端末６は、例えば、スマートフォン等に代表される携帯通信端末である。
登録用端末６は、制御部６０と、タッチパネル６４と、記憶部６５と、ＩＣチップ６８と、通信Ｉ／Ｆ部６９とを備える。
制御部６０は、登録用端末６の全体を制御するＣＰＵである。制御部６０は、記憶部６５に記憶されているＯＳやアプリケーションプログラムを適宜読み出して実行することにより、上述したハードウェアと協働し、本発明に係る各種機能を実現している。
【００２４】
タッチパネル６４は、液晶パネル等で構成される表示部としての機能と、各種操作入力を行う入力部としての機能とを有する。
記憶部６５は、制御部６０を実行するために必要なプログラム、データ等を記憶するための半導体メモリ素子等の記憶領域である。
ＩＣチップ６８は、ＮＦＣの仕様により作成された集積回路（図示せず）を備える。ＩＣチップ６８は、ＮＦＣ規格に基づく通信を利用して、ＩＣタグ９と通信をして、ＩＣタグ９のタグＵＲＩ９ｂとタグＩＤ９ａとを読み取る。
通信Ｉ／Ｆ部６９は、通信ネットワークＮを介して管理サーバ１や、情報配信サーバ３等との間で通信を行うための通信インタフェースである。
【００２５】
ＩＣタグ９は、ＮＦＣの仕様により作成されたタグである。ＩＣタグ９は、ループアンテナ（図示せず）を有する。ＩＣタグ９は、例えば、ＩＣタグ９を発行するタグ発行事業者の工場から、タグＵＲＩ９ｂとタグＩＤ９ａとが記憶された状態で出荷される。ＩＣタグ９は、例えば、店舗内の各々の売場の壁等に掲示されるポスター８に貼付して使用される。ＩＣタグ９は、その表面（裏面であってもよい）に、タグＩＤ９ａを印刷したものであってもよい。
通信ネットワークＮは、インターネット回線によるものであってよい。通信ネットワークＮは、その一部が無線通信をするものであってもよい。
【００２６】
次に、本発明の前提となる事前準備作業について説明する。
図３は、第１実施形態に係るポスター８及び登録用端末６の例を示す図である。
図４及び図５は、第１実施形態に係るＰＣ４で行う設定作業での画面例を示す図である。
（１．ＩＣタグの発行）
タグ発行事業者は、ＩＣタグ９を発行する。
そして、タグ発行事業者は、タグＩＤ９ａを生成して、発行したＩＣタグ９に記憶させる。タグＩＤ９ａは、英数字等の記号により特定できるものであり、その記号が重複しないように割り当てる。また、タグ発行事業者は、タグＵＲＩ９ｂをＩＣタグ９に記憶させる。タグＵＲＩ９ｂは、管理サーバ１をあて先に指定したＵＲＩであり、例えば、「ｈｔｔｐ：／／×××．ｃｏｍ／００１」のようなものである。なお、この例の場合、「×××．ｃｏｍ」は、管理サーバ１を指定している。そして、タグＵＲＩ９ｂは、ＩＣタグ９の記憶容量を極力使わないように、短縮ＵＲＩにしたものである。
その後に、タグ発行事業者は、他のデータの書き込みを禁止する設定をＩＣタグ９に対して行う。
【００２７】
（２．ＩＣタグの登録）
管理サーバ１を構築及び運営する運営事業者は、タグ発行事業者から上述の発行処理がされた発行済のＩＣタグ９を受領する。また、運営事業者は、発行済のＩＣタグ９に記憶させたタグＵＲＩ９ｂと、タグＩＤ９ａとのデータを、タグ発行事業者から受領して、管理サーバ１に入力する。運営事業者は、入力されたタグＵＲＩ９ｂと、タグＩＤ９ａとを、管理サーバ１のタグＩＤテーブル２４（図２（Ｃ））に記憶させる。
タグＩＤテーブル２４のタグＵＲＩ９ｂは、上述したように、管理サーバ１をあて先に指定するＵＲＩであって、スクランブル済の短縮ＵＲＩである。図２（Ｃ）の例では、分かりやすいようにスクランブルをかける前の状態でタグＵＲＩ９ｂを示している。タグＵＲＩ９ｂは、例えば、店舗事業者ごとに異なるものにしてもよい。
（３．ＩＣタグの配布）
運営事業者は、情報配信システム１００の利用の依頼があった店舗事業者に、発行済のＩＣタグ９を配布する。そして、運営事業者は、例えば、ＰＣ４を用いてタグＩＤテーブル２４（図２（Ｃ））の店舗事業者名に、配布した店舗事業者を入力した状態に更新する。
【００２８】
（４．店舗事業者の作業）
店舗事業者は、運営事業者から発行済のＩＣタグ９を受領する。
また、店舗事業者は、予めポスター製作業者にポスター８の製作を依頼しており、ポスター製作業者から印刷済のポスター８を受領する。ポスター８は、例えば、紙や樹脂素材等の素材からなる。ポスター８は、例えば、図３（Ａ）に示すように、「この下の枠内に携帯端末（利用者端末）を近づけてください。お得な情報を取得できます。」といった内容が印刷されている。
そして、店舗事業者は、発行済のＩＣタグ９を、製作されたポスター８の枠内に貼付する。店舗事業者は、発行済のＩＣタグ９を、製作されたポスター８の枠内に貼付した状態で、ポスター製作業者からポスター８を受領してもよい。
店舗事業者は、各店舗に対して、ＩＣタグ９が貼付されたポスター８を配布する。
ここでは、例として、被服販売事業者である店舗事業者Ａが店舗ａに対して、ポスター８を配布するものとする。
そして、店舗事業者Ａの管理者は、ＰＣ４を用いて、設定作業として、タグの設定と、ＵＲＩの設定とを行う。
店舗事業者がＰＣ４を用いて管理サーバ１に対してログインすることで、管理サーバ１と、ＰＣ４とは、通信可能に接続される。
そして、タグの設定と、ＵＲＩの設定とは、それぞれメインメニュー（図示せず）から各々の設定画面が選択されることによって、ＰＣ４に出力される。
【００２９】
図４に示すように、タグ設定画面７０は、タグＩＤ９ａと位置情報とを入力することで、パラメータ設定テーブル２１を更新する。また、タグ設定画面７０は、パラメータ設定テーブル２１に登録されたＩＣタグ９に関する情報を表示する。ＩＣタグ９に関する情報とは、登録されたタグＩＤ９ａごとに、どこの設置位置として登録され、配信先を示す情報配信サーバ３のＵＲＩとの関連付けがされているか否かのデータをいう。
タグ設定画面７０は、登録に関する登録部７１を有する。タグＩＤ９ａを入力し、位置をプルダウンメニューから選択して、登録のボタン７２を選択することで、一覧表示部７３に反映できる。
また、タグ設定画面７０は、ファイル入力のボタン７４を有する。一覧表示部７３に表示されているデータの内容を予めＣＳＶ形式のデータを作成しておき、このボタン７４を選択することで、ＣＳＶ形式のデータを受け付けて、そのデータをパラメータ設定テーブル２１に反映できる。そして、パラメータ設定テーブル２１に反映したデータは、一覧表示部７３に反映される。よって、一度にたくさんのデータを反映できる。
【００３０】
図５に示すように、ＵＲＩ設定画面８０は、関連付けＩＤごとにタグＩＤ９ａと、情報配信サーバ３のＵＲＩとを登録する画面である。関連付けＩＤを入力し、編集のボタン８１を選択することで、ＵＲＩ設定画面８０は、その下部に編集フレームとして、タグフレーム８２と、ＵＲＩフレーム８３とを表示する。
タグフレーム８２は、関連付けＩＤに対応付けがされたタグＩＤ９ａが表示される。選択のボタン８２ａが選択されることで、制御部１０は、別画面（図示せず）を表示して、タグＩＤ９ａを指定及び解除することができる。別画面にて行われたタグＩＤ９ａの指定及び解除は、別画面を閉じることで、タグフレーム８２に反映される。この作業により、管理サーバ１は、タグＩＤ９ａと情報配信サーバ３のＵＲＩとを関連付けることができる。
ＵＲＩフレーム８３は、デフォルトのＵＲＩの指定の他、期間等に応じて複数のＵＲＩが設定できるようになった画面である。また、ＵＲＩフレーム８３は、ＰＯＳＴ／ＧＥＴの指定やパラメータを設定する画面である。登録のボタン８５が選択されることで、制御部１０は、配信情報テーブル２２及びパラメータ設定テーブル２１を更新する。
【００３１】
（５．店舗側での作業）
各店舗の売場担当者は、配布を受けたポスター８を、利用者端末５を有する利用者である客の目に付きやすい所定の位置に貼付する。例えば、店舗事業者Ａの店舗ａでは、配布された３枚のポスター８を、各々入口のアクセサリー売場付近と、１Ｆ奥のジーンズ売場付近と、１Ｆ中央のインナー売場付近とに、ポスター８を貼り付ける。
そして、店舗において、売場担当者は、登録用端末６を用いた作業を行う。
ここで、登録用端末６を用いた処理について説明する。
図６は、第１実施形態に係る登録用端末６を使用した事前処理のフローチャートである。
【００３２】
図６のステップＳ（以下、単に「Ｓ」という。）１１において、登録用端末６の制御部６０は、売場担当者による起動指示により、予め記憶部６５に記憶されているＷｅｂブラウザ（図示せず）を起動して位置情報登録画面出力用のＵＲＩを指定することで、管理サーバ１にアクセス（接続）する。
Ｓ２１において、管理サーバ１の制御部１０は、位置情報登録画面を送信する。
Ｓ１２において、登録用端末６の制御部６０は、位置情報登録画面を受信してタッチパネル６４に表示する。図３（Ｂ）は、タッチパネル６４に表示された位置情報登録画面の画面例を示す。
Ｓ１３において、制御部６０は、ＩＣチップ６８を介してＩＣタグ９を読み取る。なお、設置店及び設置位置の入力は、売場担当者がそれぞれの項目のプルダウンメニューから該当の情報を選択することで行う。
Ｓ１４において、制御部１０は、タグＩＤ９ａと設定位置に関するデータとを送信する。設置位置に関するデータとは、設置店と設置位置とからなる。
【００３３】
Ｓ２２において、管理サーバ１の制御部１０（登録受信部１６）は、タグＩＤ９ａと、設置位置に関するデータとを受信する。
Ｓ２３において、制御部１０（位置情報更新部１７）は、パラメータ設定テーブル２１を更新する。具体的には、位置情報更新部１７は、パラメータ設定テーブル２１の設置コードに、受信した位置に関するデータから特定された位置情報テーブル２５のレコードの設置コードを反映させる（図２（Ａ）参照。）
Ｓ２４において、制御部１０は、登録結果を送信する。登録結果は、Ｓ２４までの処理が正常に行われた場合に、「登録完了しました」等の文言を有する画面データである。その後、制御部１０は、本処理を終了する。
Ｓ１５において、登録用端末６の制御部６０は、登録結果を受信し、登録完了画面を表示する。その後、制御部６０は、本処理を終了する。
【００３４】
このようにすることで、パラメータ設定テーブル２１のタグＩＤ９ａに対応する設置コードが記憶されていない場合であっても、登録用端末６により、設置コードを記憶でき、タグＩＤ９ａと設置位置に関するデータとの関連付けができる。
【００３５】
次に、情報配信システム１００の実際の使用方法として、利用者によるＩＣタグ９の利用について説明する。
図７は、第１実施形態に係る情報配信システム１００での利用者端末５による利用に関する処理のフローチャートである。
図８は、第１実施形態に係るＵＲＩ生成処理のフローチャートである。
図７において、まず、利用者が、自分の利用者端末５を、ポスター８に貼付され既に関連付けがされたＩＣタグ９に近づける（かざす）ことで、Ｓ３１において、ＩＣタグ９は、そのＩＣタグ９に記憶されているタグＵＲＩ９ｂ及びタグＩＤ９ａを利用者端末５に送信する。
Ｓ３２において、利用者端末５の制御部５０は、ＩＣチップ５８を介してＩＣタグ９のタグＵＲＩ９ｂ及びタグＩＤ９ａを読み取る。
こうして、ＩＣタグ９が利用者端末５によって読み取られると、Ｓ３３において、利用者端末５の制御部５０は、記憶部５５に記憶されているＷｅｂブラウザ（図示せず）を起動させ、タッチパネル５４に画面９１を表示する。このような画面９１の表示態様において、利用者端末５の利用者が、読み取ったタグＵＲＩ９ｂに対して接続をする指示として、「はい」の部分をタッチすることで、Ｓ３４において、利用者端末５の制御部５０は、タグＵＲＩ９ｂに基づき通信ネットワークＮを介して管理サーバ１にアクセスする。その際、制御部５０は、読み取ったタグＩＤ９ａを送信する。
当該アクセスにより利用者端末５と管理サーバ１との間でセッションが確立された後、Ｓ３５において、管理サーバ１の制御部１０は、ＵＲＩ生成処理を行う。
【００３６】
ここで、ＵＲＩ生成処理について、図８に基づいて説明する。
図８のＳ５１において、受信部１１は、受信したタグＩＤ９ａを受け付ける。
Ｓ５２において、パラメータ取得部１２は、パラメータ設定テーブル２１を参照し、タグＩＤ９ａに対応するレコードを特定する。そして、制御部１０は、特定したレコードの設置コードと、関連付けＩＤとを記憶部２０に一時的に記憶する。
Ｓ５３において、接続情報選択部１３は、記憶した関連付けＩＤに基づき、配信情報テーブル２２のレコードを特定する。
Ｓ５４において、接続情報選択部１３は、配信情報テーブル２２の特定したレコードのうち、処理時点での条件に合致したＵＲＩを決定する。具体的には、接続情報選択部１３は、処理時点での日時や、曜日によって、複数のＵＲＩから条件に合致するＵＲＩを一つ決定する。
Ｓ５５において、制御部１０は、決定したＵＲＩに、そのＵＲＩに対応するパラメータに設置コードを設定して結合した、所定のＷｅｂページのＵＲＩである広告ＵＲＩを生成する。そして、「ＰＯＳＴ」か「ＧＥＴ」かの指定により、対象ページＵＲＩのパラメータの指定方法を設定する。その後、制御部１０は、本処理を終了し、図７に戻る。
【００３７】
図７のＳ３６において、管理サーバ１の接続先情報送信部１４は、生成した広告ＵＲＩ（例えば、ｈｔｔｐ：／／○×□．ｃｏｍ／ｈａ／ｓａｌｅ．ｈｔｍ？ｃｄ＝Ａ３５１＆ＡＡ００００２）を、利用者端末５に返信する。
Ｓ３７において、管理サーバ１の制御部１０は、ログとして、利用者端末５がアクセスしてきた日時を示す日時情報と、タグＩＤ９ａとを対応付けたデータを、ログテーブル（図示せず）に記憶させる。
なお、ログテーブルに記憶されたログは、管理サーバ１の管理者が分析データを作成する際に適宜用いられる。そして、作成された分析データは、アクセスレポートとして店舗事業者に提供される。
【００３８】
他方、生成した広告ＵＲＩが利用者端末５に受信されると、利用者端末５の制御部５０は、リダイレクト処理（Ｓ３８）により、Ｓ３９において、広告ＵＲＩに基づき通信ネットワークＮを介して情報配信サーバ３に対してアクセスする。リダイレクトとは、あるＷｅｂページに訪問した利用者を別のＷｅｂページに移動させることをいう。
そして、当該アクセスにより利用者端末５と情報配信サーバ３との間でセッションが確立された後、Ｓ４０において、情報配信サーバ３は、広告ＵＲＩが提供する所定のＷｅｂページを取得し、通信ネットワークＮを介して利用者端末５に提供（返信）する。
こうして、Ｓ４１において、情報配信サーバ３から提供された所定のＷｅｂページが利用者端末５により受信されると、その所定のＷｅｂページ（この例では、クーポン）は、画面９２に表示されることになる。
【００３９】
なお、事前の設定作業がされていない状態で、利用者端末５によるＩＣタグ９の読取がされた場合には、パラメータ設定テーブル２１と、配信情報テーブル２２とが関連付けられていない（関連付けＩＤが未登録である）ので、Ｓ３６において、管理サーバ１の制御部１０は、エラー画面（図示せず）を返信する。
【００４０】
次に、上記処理をした場合の利用者端末５に表示される表示例を説明する。
図９は、第１実施形態に係る利用者端末５のタッチパネル５４に表示される画面例を示す図である。
図１０は、第１実施形態に係る情報配信システム１００での利用者端末５を用いたＵＲＩの決定までの処理の流れを示す図である。
図９（Ａ）は、条件がない場合に、利用者端末５に表示される表示例である。条件がない場合とは、配信情報テーブル２２の条件の指定がない場合をいう。（１）は、利用者端末５を入口のアクセサリー売場に貼付されたポスター８のＩＣタグ９に近づけてかざした場合に、利用者端末５のタッチパネル５４に表示される。（２）は、利用者端末５を１Ｆ奥のジーンズ売場に貼付されたポスター８のＩＣタグ９に近づけてかざした場合に、利用者端末５のタッチパネル５４に表示される。（３）は、利用者端末５を１Ｆ中央のインナー売場に貼付されたポスター８のＩＣタグ９に近づけてかざした場合に、利用者端末５のタッチパネル５４に表示される。
【００４１】
ここで、図９（Ａ）（２）の画面が利用者端末５に出力されるまでの情報配信システム１００での処理について、図１０に基づき説明する。
（＃１）利用者端末５が、１Ｆ奥のジーンズ売場に掲示してあるポスター８のＩＣタグ９を読み取る（図７のＳ３１、Ｓ３２）。
（＃２）管理サーバ１の受信部１１が、タグＩＤ９ａである「００１００００２」を受信する（図７のＳ３４、図８のＳ５１）。
（＃３）パラメータ取得部１２が、パラメータ設定テーブル２１から該当のタグＩＤ９ａのレコードを特定し（図８のＳ５２）、関連付けＩＤである「ＨＡ０１」及び設置コードである「ＡＡ００００２」を記憶部２０に一時的に記憶する。
（＃４）接続情報選択部１３が、配信情報テーブル２２から関連付けＩＤが一致するレコードを選択する（図８のＳ５３）。
（＃５）条件に合致するＵＲＩを決定する（図８のＳ５４）。
（＃６）また、そのＵＲＩに対応付けられたパラメータを特定する。
（＃７）接続先情報送信部１４は、（＃５）にて特定したＵＲＩに、（＃６）で特定したパラメータを結合し、パラメータの変数に設置コードを設定し利用者端末５に送信する広告ＵＲＩを生成する（図８のＳ５５）。
（＃８）接続先情報送信部１４は、生成した広告ＵＲＩを利用者端末５に返信する（図７のＳ３９）。
そうすることで、利用者端末５は、広告ＵＲＩに接続し、図９（Ａ）（２）の画面を出力することができる。
なお、（＃３）において、関連付けＩＤ「ＨＡ０１」を読み取る処理を行い、設置コード「ＡＡ００００２」は、（＃６）でパラメータを特定する際に読み取るようにしてもよい。
【００４２】
図９（Ｂ）は、ある条件（サービス期間）に合致した場合に、利用者端末５に表示される表示例である。これは、（Ａ）と同じように、利用者端末５が各売場に貼付されたポスター８のＩＣタグ９に近づけてかざされた場合であるが、タッチパネル５４に表示される内容が（Ａ）の場合と異なり、利用者にとって有益な情報になっている。
図９（Ｃ）は、別の条件に合致した場合に、利用者端末５に表示される表示例である。これは、（Ａ）、（Ｂ）と同じように、利用者端末５が各売場に貼付されたポスター８のＩＣタグ９に近づけてかざされた場合であるが、タッチパネル５４に表示される内容が（Ａ）及び（Ｂ）の場合とはさらに異なるものになっている。
このように、同じＩＣタグ９であっても、設置位置及びサービス期間等の条件に応じて各々異なる情報を利用者端末５に表示させることができる。
【００４３】
このように、第１実施形態によれば、以下のような効果がある。
（１）利用者端末５がＩＣタグ９を読み取ることで、利用者端末５から受信したタグＩＤ９ａに基づいて、管理サーバ１に接続し、所定のＷｅｂページを出力するための広告ＵＲＩを利用者端末５に送信するが、その広告ＵＲＩを、情報配信サーバ３に接続するためのＵＲＩに、タグＩＤ９ａに対応する設置コードをパラメータに設定して結合したものにできる。よって、利用者端末５から受信したタグＩＤ９ａが異なることにより、同じＵＲＩであっても、パラメータによって異なるＷｅｂページを出力させるものにできる。
情報配信サーバ３のＵＲＩと、そのＵＲＩのパラメータとして入力する設置コードとが別のテーブルに記憶されているので、設置コードが記憶されたパラメータ設定テーブル２１を変更することで、配信情報テーブル２２を変更せずに、設置コードに対応して異なる情報を利用者端末５に提供できる。この場合、パラメータ設定テーブル２１だけを変更すればよいので、メンテナンスが容易である。
【００４４】
（２）利用者端末５をＩＣタグ９に近接させ、利用者端末が近距離通信によりＩＣタグ９を読み取ることで、利用者端末５がこの管理サーバ１に接続され、タグＩＤ９ａを受信し、タグＩＤ９ａに対応した広告ＵＲＩを利用者端末５に送信できる。よって、利用者端末５をポスター８にかざすという簡易な操作によって、情報配信サーバ３の所定のＵＲＩに格納された情報を利用者端末５に出力させることができる。また、利用者端末５が異なるＩＣタグ９を読み取ることで、異なるＵＲＩを利用者端末５に送信するので、異なる情報を利用者端末５に出力させることができる。
（３）利用者端末５がＩＣタグ９を読み取ることで、ＩＣタグ９が設置された位置に関連する情報を利用者端末５に出力させることができる。
【００４５】
（４）パラメータを利用者端末５で参照可能にするか否かの設定を、配信情報テーブル２２に有することで、所定のＷｅｂページの用途に合わせてパラメータを表示可能な場合と表示不可とする場合とに設定できる。
例えば、所定のＷｅｂページが来店クーポンの情報の場合に、パラメータを利用者端末５で参照不可の設定にすることで、万が一、利用者端末５に広告ＵＲＩを記憶させても、記憶された広告ＵＲＩからは来店クーポンの情報を出力できないようにできる。また、例えば、所定のＷｅｂページが店舗までの地図情報の場合に、パラメータを利用者端末５で参照可能の設定にし、利用者端末５にＵＲＩを記憶させることで、記憶された広告ＵＲＩにパラメータを含むため、店舗までの地図情報をいつでも利用者端末５に出力させるようにできる。
（５）日時や曜日ごとに、異なるＵＲＩを利用者端末５に送信できる。よって、利用者端末５では、日時や曜日ごとに、異なる情報を出力できる。店舗事業者側では、日時や曜日の利用者のニーズに合った情報を配信させることができる。
【００４６】
（６）テーブルを変更するためのテーブルの更新内容を、例えば、ＣＳＶ形式のデータにして、それを受け付けて、対応するテーブルに反映できる。よって、テーブルのメンテナンスが容易である。
（７）登録用端末６を用いて、ＩＣタグ９の位置情報を簡易に更新できる。
【００４７】
（第２実施形態）
第２実施形態では、緯度経度データを使用するものを説明する。なお、以降の説明において、上述した第１実施形態と同様の機能を果たす部分には、同一の符号又は末尾に同一の符号を付して、重複する説明を適宜省略する。
図１１は、第２実施形態に係る情報配信システム２００の全体構成及び機能構成を示す図である。
図１２は、第２実施形態に係る位置情報テーブル２２５及び登録用端末２０６の例を示す図である。
図１１に示すように、情報配信システム２００は、管理サーバ２０１と、情報配信サーバ３と、ＰＣ４と、利用者端末５と、登録用端末２０６と、ＩＣタグ９とを備えている。
【００４８】
管理サーバ２０１の制御部２１０が備える登録受信部２１６は、パラメータ設定テーブル２１や位置情報テーブル２２５を更新するための情報を、登録用端末２０６から受信する。
管理サーバ２０１の制御部２１０が備える位置情報更新部２１７は、登録受信部２１６が受信した情報をパラメータ設定テーブル２１及び位置情報テーブル２２５に反映させて、それらのテーブルを更新する。
管理サーバ２０１の記憶部２２０が備える位置情報テーブル２２５は、図１２（Ａ）に示すように、設置コードごとに、設置店、設置位置、緯度経度データ、店舗事業者名を記憶している。
登録用端末２０６は、ＧＰＳ（Ｇｌｏｂａｌ  Ｐｏｓｉｔｉｏｎｉｎｇ  Ｓｙｓｔｅｍ）部２６７を備える。
ＧＰＳ部２６７は、ＧＰＳ衛星（図示せず）から受信した電波の強度を利用して、登録用端末２０６の現在の位置データ（緯度・経度）を計測して取得する装置である。
【００４９】
次に、登録用端末２０６を用いた処理について説明する。
図１３は、第２実施形態に係る登録用端末２０６を使用した事前処理のフローチャートである。
Ｓ２１１からＳ２１３まで及びＳ２２１は、図６のＳ１１からＳ１３まで及びＳ２１と同様である。
Ｓ２１４において、売場担当者の操作により、登録用端末２０６の制御部２６０は、ＧＰＳ部２６７を動作させて、緯度経度のデータを取得する。図１２（Ｂ）の画面例では、売場担当者が取得のボタンを選択することで、制御部２６０は、緯度経度のデータを取得する。
Ｓ２１５において、制御部２１０は、タグＩＤ９ａと設定位置に関するデータとを送信する。設置位置に関するデータとは、設置店と設置位置と緯度経度のデータとからなる。
Ｓ２２２は、図６のＳ２２と同様である。
Ｓ２２３において、制御部２１０（位置情報更新部２１７）は、位置情報テーブル２２５を更新する。具体的には、位置情報更新部２１７は、受信した緯度経度のデータを、位置情報テーブル２２５に反映させる（図１２（Ａ）参照）。
Ｓ２２４、Ｓ２２５及びＳ２１６は、図６のＳ２３、Ｓ２４及びＳ１５と同様である。
【００５０】
このように、第２実施形態によれば、以下のような効果がある。
登録用端末２０６を用いて、ＩＣタグ９の位置情報を簡易に更新できる。特に、緯度経度データのような、手入力をするのには手間となるデータであっても、登録用端末２０６を用いて簡易な操作で取得でき、管理サーバ２０１のテーブルを更新できる。
よって、実際にＩＣタグ９が設置された場所の設置に関するデータを、そのＩＣタグ９に登録用端末２０６が近づけてかざすことで得ることができるので、管理サーバ２０１は、正確な設置位置に関するデータを得ることができる。
【００５１】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５２】
（変形形態）
（１）各実施形態では、ＩＣタグに、管理サーバを指定したタグＵＲＩと、タグＩＤとを記憶するものとして説明した。しかし、ＩＣタグに、管理サーバを指定し、タグＩＤを含む特定のＵＲＩのみを記憶するものであってもよい。
また、ＵＲＩは、ＵＲＬ（Ｕｎｉｆｏｒｍ  Ｒｅｓｏｕｒｃｅ  Ｌｏｃａｔｏｒ）であってもよい。
（２）各実施形態では、設置コードとして、店舗名と設置位置とに対応する位置に関するデータをパラメータ設定テーブルに記憶していた。しかし、パラメータ設定テーブルのタグＩＤに対応付けるデータは、これに限定されない。例えば、第２実施形態で取得する緯度経度データであってもよい。その場合には、情報配信サーバのＵＲＩを地図表示のためのものにすることで、その緯度経度周辺の地図を出力できる。
また、複数のデータをタグＩＤに対応付けて記憶してもよい。さらに、設置コードを、設定位置を限定するような店舗内のフロアの階数であったり、商品が並べられた棚に関する棚番号に対応させるものであったりしてもよい。そのようにすることで、より細かい情報提供の設定が可能になり、例えば、商品の説明をより詳細に行うことができる。
【００５３】
（３）各実施形態では、複数のＵＲＩから一つのＵＲＩを決定する条件として、日時及び曜日のうち少なくともいずれかとして説明した。しかし、複数のＵＲＩから一つのＵＲＩを決定する条件は、これらに限定されない。例えば、ＩＣタグの設置位置を条件としてもいいし、利用者端末５からＩＣタグを読み取る方向（例えば、タグの表面から読み取ったか、裏面から読み取ったか）を条件としてもよい。
【００５４】
（４）各実施形態では、利用者端末に対してＷｅｂページを出力させるため処理を行っているが、これに限定されない。例えば、情報配信サーバに代えて、アプリケーションサーバに記憶されているアプリケーションプログラムを起動させるためのコマンドをパラメータとして利用者端末に送信することで、利用者端末では、アプリケーションサーバにアクセスして、アプリケーションプログラムを起動させ、アプリケーションを利用者端末で実行できるものであってもよい。
【００５５】
（５）各実施形態では、ＩＣタグを用いて非接触式の通信を行うものとして説明したが、それに限定されず、ＩＣカードで実現できるようにしてもよい。また、例えば、ＱＲコードのような二次元コードであってもよく、タグＩＤとＵＲＩとを記憶できる記憶媒体であればどのようなものであってもよい。ただし、その場合には、登録用端末及び利用者端末は、それらのコードを読取可能なハードウェアを備え、ソフトウェアがインストールされている必要がある。
（６）各実施形態では、パラメータ設定テーブルと配信情報テーブルとを関連付ける識別情報を用いて両テーブルを関連付けるものとして説明したが、例えば、２つのテーブルを関連付ける関連付けテーブルを別途設けて、タグＩＤとＵＲＩに対応する識別情報とを関連付けるようにしてもよいし、タグＩＤとＵＲＩとを直接関連付けるようにしてもよい。要するに、タグＩＤとＵＲＩとが関連付けられれば、その実現方法は問わない。
【００５６】
（７）各実施形態では、ファイル入力の例として、ＣＳＶ形式のデータを使用する例を説明した。しかし、ファイル入力に使用するデータは、テキスト形式のデータ等であってもよい。
（８）各実施形態では、ＩＣタグをポスターに貼付するものとして説明した。しかし、ＩＣタグの貼付対象物は、ポスターに限定されない。例えば、ＩＣタグを商品棚の物品等に貼付してもよい。
【符号の説明】
【００５７】
１，２０１  管理サーバ
３      情報配信サーバ
４      ＰＣ
５      利用者端末
６，２０６  登録用端末
８      ポスター
９      ＩＣタグ
９ａ    タグＩＤ
９ｂ    タグＵＲＩ
１０，５０，６０，２１０，２６０  制御部
１１    受信部
１２    パラメータ取得部
１３    接続情報選択部
１４    接続先情報送信部
１５ａ  変更受付部
１５ｂ  反映処理部
１６，２１６  登録受信部
１７，２１７  位置情報更新部
２０，５５，６５，２２０  記憶部
２１    パラメータ設定テーブル
２２    配信情報テーブル
２４    タグＩＤテーブル
２５，２２５  位置情報テーブル
５４，６４  タッチパネル
５８，６８  ＩＣチップ
１００，２００  情報配信システム
２６７    ＧＰＳ部
Ｎ      通信ネットワーク
【図１】
2014164493.tif 000003
【図２】
2014164493.tif 000004
【図３】
2014164493.tif 000005
【図４】
2014164493.tif 000006
【図５】
2014164493.tif 000007
【図６】
2014164493.tif 000008
【図７】
2014164493.tif 000009
【図８】
2014164493.tif 000010
【図９】
2014164493.tif 000011
【図１０】
2014164493.tif 000012
【図１１】
2014164493.tif 000013
【図１２】
2014164493.tif 000014
【図１３】
2014164493.tif 000015